(57)【要約】      （修正有）【課題】ブロックの製造コストを抑えると共に、施工の作業性向上を図るコンクリートブロックを提供する。【解決手段】歩道と車道の境界や敷地などの境界に敷設する境界ブロック２と、フェンス３等の支柱４が差し込まれる支柱用孔を形成した基礎ブロック６とを一体に成形し、設置される支柱４間に対応した長さを有するコンクリートブロック１により、製造コストの削減、製品管理の簡素化、更には、同一種類のコンクリートブロック１を用いるため、施工の作業性向上を図ることができる。【選択図】図１
0003233933.tif 000002
【実用新案登録請求の範囲】
【請求項１】
歩道と車道の境界や敷地などの境界に敷設する境界ブロックと、フェンス等の支柱が差し込まれる支柱用孔を形成した基礎ブロックとを一体に成形し、設置される前記支柱間に対応した長さを有することを特徴とするコンクリートブロック。
【請求項２】
長手方向の一方の端面に形成された凸部と、他方の端面に形成され、前記凸部が係合可能な凹部とを備えたことを特徴とする請求項１記載のコンクリートブロック。
【考案の詳細な説明】
【技術分野】
【０００１】
本考案は、歩道と車道の境界及び敷地等の境界に敷設すると共に、フェンス等を支持するコンクリートブロックに関する。
【背景技術】
【０００２】
従来この種のコンクリートブロックは、歩道と車道との境界等に使用する境界ブロックの他に、フェンスやガードパイプ等の支柱を設置する基礎ブロックとが必要であった。ブロック設置に際しては、この支柱用の基礎ブロックは境界ブロック同士の間に設置したり、境界ブロックの横に設置することで対応していた。
【０００３】
しかしながら、基礎ブロックは支柱を支持することが目的であるため、境界ブロックとはサイズが異なっており、例えば、境界ブロック同士の間に設置する場合、位置決めや目地詰めの施工の手間がかかる問題があった。また、境界ブロックの横に設置する場合、基礎ブロックは敷地内に所定間隔で位置するため基礎ブロック間にデッドスペースができるという問題があった。
【０００４】
これらの問題に対して、例えば特許文献１には、コンクリート境界ブロックと支柱建て込み専用ブロックを一体化させ、コンパクトにして連続性を高め、強度の増大と作業及び製品の経費の軽減を図るため、コンクリート境界ブロックの長さをフェンス等の標準スパンに合致させ、目地モルタルを含む長さ５０ｃｍ等及びその倍数にし、ブロックの中央に支柱建て込み用穴を製造時より穿孔する支柱基礎を併用したコンクリート境界ブロックが開示されている。
【先行技術文献】
【特許文献】
【０００５】
【特許文献１】特開２０００−１７０１１０号公報
【考案の概要】
【考案が解決しようとする課題】
【０００６】
しかしながら、この特許文献１に開示されている支柱基礎を併用したコンクリート境界ブロックでは、穿孔したブロックと穿孔していないブロックを組み合わせフェンス等支柱の建て込み間隔に合致させているため、二種類のブロックを用意する必要があり、製造コストが高くなると共に、施工管理も煩雑になる問題があった。
【０００７】
本考案は、このような問題点に鑑みてなされたもので、ブロックの製造コストを抑えると共に、施工の作業性向上を図るコンクリートブロックを提供することを目的とする。
【課題を解決するための手段】
【０００８】
本考案の請求項１にかかるコンクリートブロックは、
歩道と車道の境界や敷地などの境界に敷設する境界ブロックと、フェンス等の支柱が差し込まれる支柱用孔を形成した基礎ブロックとを一体に成形し、設置される前記支柱間に対応した長さを有することを特徴とする。
【０００９】
本考案の請求項２にかかるコンクリートブロックは、
請求項１において、長手方向の一方の端面に形成された凸部と、他方の端面に形成され、前記凸部が係合可能な凹部とを備えたことを特徴とする。
【考案の効果】
【００１０】
本考案のコンクリートブロックは、歩道と車道の境界や敷地などの境界に敷設する境界ブロックと、フェンス等の支柱が差し込まれる支柱用孔を形成した基礎ブロックとを一体に成形し、設置される前記支柱間に対応した長さを有するため、境界ブロックと基礎ブロック両方の機能を有するコンクリートブロックを製造するだけですみ、製造コストを削減することができると共に、製品管理の簡素化も図れる。更に、同一種類のコンクリートブロックを用いるため、施工の作業性向上を図ることができる。
【００１１】
また、本考案のコンクリートブロックは、長手方向の一方の端面に形成された凸部と、他方の端面に形成され、前記凸部が係合可能な凹部とを備えているため、コンクリートブロックを施工する際、一方のコンクリートブロックの凹部に他方のコンクリートブロックの凸部を突き合わせるだけで容易に位置決めができるため、施工の作業性向上を図ることができる。
【図面の簡単な説明】
【００１２】
【図１】図１は本考案のコンクリートブロックを利用したワイヤーフェンスの設置状態を示す斜視図である。
【図２】図２は本考案のコンクリートブロックの正面図である。
【図３】図３は本考案のコンクリートブロックの平面図である。
【図４】図４は本考案のコンクリートブロックの側面図である。
【図５】図５は本考案のコンクリートブロックに支柱を設置した斜視図である。
【図６】図６は本考案のコンクリートブロックに支柱を設置した側面図である。
【考案を実施するための形態】
【００１３】
本考案のコンクリートブロック１は、歩道と車道の境界や敷地などの境界に敷設する境界ブロック２の機能と、メッシュフェンス３やガードパイプ、ガードレール等の支柱４が差し込まれる支柱用孔５を形成した基礎ブロック６の機能を有する一体成形のブロックである。
【００１４】
また、本考案のコンクリートブロック１は、長手方向の一方の端面に形成された凸部７と、他方の端面に形成され、前記凸部７が係合可能な凹部８とを備えている。
このような本考案のコンクリートブロック１について、以下に図面を参照して実施例を詳述する。
【実施例１】
【００１５】
このコンクリートブロック１は、図１に示す、境界ブロック２と、メッシュフェンス３やガードパイプ、ガードレール等の支柱４が差し込まれる支柱用孔５を形成した基礎ブロック６とを一体に成形してなるものであり、図５に示す如く、設置される前記支柱４間に対応した長さを有するものである。また、図２乃至図４に示す如く、本実施例１において前記支柱用孔５はコンクリートブロック１の端部に一箇所穿設されている。
【００１６】
ここで、本考案においては、コンクリートブロック１の長さと支柱４間、即ちメッシュフェンス３の幅とをほぼ同じ長さとしており、一般的にフェンス３等の支柱４の間隔は２０００ｍｍ又は３０００ｍｍが標準的なサイズとなっているため、コンクリートブロック１の長さも設置するメッシュフェンス３等の大きさに合わせて２０００ｍｍ又は３０００ｍｍとしている。以下、本実施例１では、幅２０００ｍｍサイズのメッシュフェンス３及び長さ２０００ｍｍサイズのコンクリートブロック１を例として説明する。
【００１７】
設置するフェンス３のサイズが幅２０００ｍｍ、高さ１２００ｍｍ以下を想定した場合、コンクリートブロック１のサイズは、境界ブロック２としての機能が必要であるため、長さ２０００ｍｍ、幅１５０ｍｍ、高さ２５０ｍｍとしている。この高さについては、図６に示す如く、コンクリートブロック１下部の根入れ深さDfを２００ｍｍとすることで、風速３６ｍ／ｓまで対応可能としているため、残りの上５０ｍｍが地表より立ち上がることとなる。
【００１８】
コンクリートブロック１の端部に穿設されている支柱用孔５は上端開口５Ａが１６０ｍｍ×８０ｍｍ、下端開口５Ｂが１４０ｍｍ×６０ｍｍと、上から下にかけてすり鉢状に傾斜している。支柱４をコンクリートブロック１に設置する場合、支柱４を支柱用孔５に差し込みモルタル９を流し込んで固定するが、この傾斜によりモルタル９をスムーズに流し込むことができるため、モルタル９とコンクリートブロック１の間の接着性の向上を図ることができる。
【００１９】
また、図２乃至図４に示す如く、コンクリートブロック１の長手方向の一方の端面には凸部７が、他方の端面には凹部８がそれぞれ設けられており、凸部７は凹部８に係合可能となっている。
【００２０】
なお、１０は施工用インサートであり、およそ１７０Kｇの重量があるため、クレーンなどの機械で吊り上げるための図示しないアイボルトなどを取り付けるためのものである。
【００２１】
以上の構成にして本考案のコンクリートブロック１を施工する場合には、コンクリートブロック１設置箇所に根入れのための深さ２００ｍｍ程度の溝をほる。その後、施工用インサート１０にアイボルトを取り付け、クレーンなどで吊り上げて溝内に位置するように設置する。
【００２２】
そして、図５に示す如く、必要数のコンクリートブロック１を溝内に設置した後、アイボルトを外し、土で埋め込むこととなる。通常、複数のコンクリートブロック１が必要であるが、第一コンクリートブロック１Aに並べて第二コンクリートブロック１Bを設置する際には、第一コンクリートブロック１Aの右側面に形成されている凸部７を、第二コンクリートブロック１Bの左側面に形成されている凹部８に突き合わせることにより位置決めすることができる。
【００２３】
従来のコンクリートブロックでは複数のブロックを接続する際に、モルタルなどの接着剤を必要としていたが、本考案のコンクリートブロック１では、前記凹凸部７、８により容易に位置決めができるためモルタルを不要とし、施工の作業性向上を図ることができる。
【００２４】
このように、コンクリートブロック１を必要数設置した後、図５に示す如く、各コンクリートブロック１A、１B・・・の支柱用孔５に支柱４を差し込みモルタル９を流し込む。その後、支柱４にメッシュフェンス３を取り付けて完成となる。
【００２５】
以上詳述した如く、本考案のコンクリートブロック１は、歩道と車道の境界や敷地などの境界に敷設する境界ブロック２と、フェンス３等の支柱４が差し込まれる支柱用孔５を形成した基礎ブロック６とを一体に成形し、設置される前記支柱４間に対応した長さ、即ちフェンスの幅とほぼ同じ長さとしたことにより、境界ブロック２と基礎ブロック６両方の機能を有するコンクリートブロック１を製造するだけですみ、製造コストを削減することができると共に、製品管理の簡素化も図れる。更に、同一種類のコンクリートブロック１を用いるため、施工の作業性向上を図ることができる。
【００２６】
また、本考案のコンクリートブロック１は、長手方向の一方の端面に形成された凸部７と、他方の端面に形成され、前記凸部７が係合可能な凹部８とを備えているため、コンクリートブロック１を施工する際、一方のコンクリートブロック１の凹部８に他方のコンクリートブロック１の凸部７を突き合わせるだけで容易に位置決めができるため、施工の作業性向上を図ることができる。
【符号の説明】
【００２７】
１  コンクリートブロック
２  境界ブロック
３  メッシュフェンス
４  支柱
５  支柱用孔
５Ａ  上端開口
５Ｂ  下端開口
６  基礎ブロック
７  凸部
８  凹部
９  モルタル
１０  施工用インサート
【図１】
0003233933.tif 000003
【図２】
0003233933.tif 000004
【図３】
0003233933.tif 000005
【図４】
0003233933.tif 000006
【図５】
0003233933.tif 000007
【図６】
0003233933.tif 000008